(57)【要約】【課題】第１床材及び第２床材を有する建物の床部の施工において、第１床材と第２床材とで段差を形成する場合の施工性を向上させる。【解決手段】床部施工治具３０は、第１端面１７Ｄを有する下地材１７と、第２端面１８Ｄを有する仕上材１８とを有する床部１６の施工に用いられる。また、床部施工治具３０は、基部３２と、第１位置決部３６と、第２位置決部３８とを有する。基部３２は、Ｙ方向に延在され、床大梁１２とＸ方向に接触される。第１位置決部３６は、床大梁１２に対する建物上方側で基部３２よりもＸ方向に突出され、床大梁１２に対して第１端面１７Ｄを位置決めする。第２位置決部３８は、第１位置決部３６に対する建物上方側で第１位置決部３６よりもＸ方向に突出され、床大梁１２に対して第２端面１８Ｄを位置決めする。【選択図】図２
2019031835.tif 000002
【特許請求の範囲】
【請求項１】
建物の高さ方向に対して交差する交差方向に延在され、該交差方向の第１端面を有し梁材に支持される第１床材と、該第１床材に対する建物上方側で前記交差方向に延在され、該交差方向の第２端面を有し前記第１床材に支持される第２床材と、を有する前記建物の床部の施工に用いられる床部施工治具であって、
前記高さ方向に延在され、前記梁材と前記交差方向に接触される基部と、
前記梁材に対する建物上方側で前記基部よりも前記交差方向に突出され、前記梁材に対して前記第１端面を位置決めする第１位置決部と、
前記第１位置決部に対する建物上方側で前記第１位置決部よりも前記交差方向に突出され、前記梁材に対して前記第２端面を位置決めする第２位置決部と、
を有する床部施工治具。
【請求項２】
前記第２位置決部に対する建物上方側には、前記交差方向における前記第２位置決部よりも前記第２床材側に延在された延在部が設けられている請求項１に記載の床部施工治具。
【請求項３】
前記延在部には、前記第１床材及び前記第２床材を前記梁材に取付ける取付部材が取付方向に案内される案内部が形成されている請求項２に記載の床部施工治具。
【請求項４】
前記第２位置決部は、前記基部に対して着脱可能とされた請求項１から請求項３のいずれか１項に記載の床部施工治具。
【請求項５】
前記第２位置決部を前記高さ方向に分割する分割面と、前記第１位置決部の前記第１端面と接触する接触面とが、前記高さ方向に揃えられている請求項４に記載の床部施工治具。
【請求項６】
請求項１から請求項５のいずれか１項に記載の床部施工治具を用いた床部施工方法であって、
前記基部と前記梁材とを接触させる第１工程と、
前記第１端面と前記第１位置決部とを接触させる第２工程と、
前記第２端面と前記第２位置決部とを接触させる第３工程と、
を有する床部施工方法。
【発明の詳細な説明】
【技術分野】
【０００１】
本発明は、床部施工治具及び床部施工方法に関する。
【背景技術】
【０００２】
特許文献１の建物では、既設サッシの既設下枠が、１つの床材に当接されて固定されている。
【先行技術文献】
【特許文献】
【０００３】
【特許文献１】特許第５６６１５９０号
【発明の概要】
【発明が解決しようとする課題】
【０００４】
建物に用いられる高断熱用のサッシは、一般用のサッシに比べて見込みが大きいために、サッシが取付けられる床部に予め段差を形成しておくことが必要となる場合がある。例えば、梁材上に配置された第１床材と第２床材とで床部が構成される建物において、高断熱用のサッシを取付ける前には、第１床材に対して第２床材をずらすことで段差を形成することになる。
【０００５】
ここで、１箇所の位置決部を有する治具を用いて床部を施工する場合には、基準に対して位置が決まるのは１箇所のみであるために、第１床材の位置決め作業を行えても、第２床材の位置決め作業を行うことが困難となる。一方、１箇所の位置決部を有する治具を２種類用意した場合には、治具の交換が必要となり、作業工数が増えることになる。つまり、第１床材及び第２床材を有する建物の床部の施工において、第１床材と第２床材とで段差を形成する場合の施工性を向上させるには、改善の余地がある。
【０００６】
本発明は、第１床材及び第２床材を有する建物の床部の施工において、第１床材と第２床材とで段差を形成する場合の施工性を向上させることを目的とする。
【課題を解決するための手段】
【０００７】
第１態様に係る床部施工治具は、建物の高さ方向に対して交差する交差方向に延在され、該交差方向の第１端面を有し梁材に支持される第１床材と、該第１床材に対する建物上方側で前記交差方向に延在され、該交差方向の第２端面を有し前記第１床材に支持される第２床材と、を有する前記建物の床部の施工に用いられる床部施工治具であって、前記高さ方向に延在され、前記梁材と前記交差方向に接触される基部と、前記梁材に対する建物上方側で前記基部よりも前記交差方向に突出され、前記梁材に対して前記第１端面を位置決めする第１位置決部と、前記第１位置決部に対する建物上方側で前記第１位置決部よりも前記交差方向に突出され、前記梁材に対して前記第２端面を位置決めする第２位置決部と、を有する。
【０００８】
第１態様に係る床部施工治具では、基部と梁材とが接触することで床部施工治具の基準位置が決まる。この状態において、第１床材の第１端面を第１位置決部に接触させ、第２床材の第２端面を第２位置決部に接触させることで、第１床材及び第２床材が位置決めされ、段差が形成される。このように、治具を交換せずに、第１床材及び第２床材の位置決めが行われるので、第１床材及び第２床材を有する建物の床部の施工において、第１床材と第２床材とで段差を形成する場合の施工性を向上させることができる。
【０００９】
第２態様に係る床部施工治具の前記第２位置決部に対する建物上方側には、前記交差方向における前記第２位置決部よりも前記第２床材側に延在された延在部が設けられている。
【００１０】
第２態様に係る床部施工治具では、第２床材が第１床材に対して傾くなどして第２床材の第２端面付近の部位が建物上方側に変位する場合に、この部位が延在部と接触することで、変位が規制される。これにより、延在部が設けられていない構成に比べて、第２床材を位置決めするときに第２床材が建物上方側に変位することを抑制することができる。
【００１１】
第３態様に係る床部施工治具の前記延在部には、前記第１床材及び前記第２床材を前記梁材に取付ける取付部材が取付方向に案内される案内部が形成されている。
【００１２】
第３態様に係る床部施工治具では、第１床材及び第２床材が位置決めされた状態で、取付部材を用いて第１床材及び第２床材を梁材に取付ける場合に、取付部材が、延出部の案内部によって取付方向に案内される。つまり、延出部によって第１床材及び第２床材の建物上方側への変位を押えながら（第１床材及び第２床材の位置決め状態を保持しながら）、第１床材及び第２床材を梁材に取付けられる。これにより、第１床材及び第２床材が取付部材を用いて梁材に取付けられるときに、延出部及び案内部が無い場合に比べて、取付部材の取付け位置が交差方向にずれることを抑制することができる。
【００１３】
第４態様に係る床部施工治具の前記第２位置決部は、前記基部に対して着脱可能とされている。
【００１４】
第４態様に係る床部施工治具において、第２位置決部が基部に装着された状態（基部に対して離脱されていない状態）では、第１床材と第２床材とが第１の配置関係となるように位置決めが行われる。一方、第２位置決部が基部に対して離脱された状態では、第１床材と第２床材とが、第１の配置関係とは異なる第２の配置関係となるように位置決めが行われる。このように、第１床材と第２床材との配置関係が異なる場合に、１つの床部施工治具を使い分けて位置決めすることができる。
【００１５】
第５態様に係る床部施工治具は、前記第２位置決部を前記高さ方向に分割する分割面と、前記第１位置決部の前記第１端面と接触する接触面とが、前記高さ方向に揃えられている。
【００１６】
第５態様に係る床部施工治具では、第１位置決部の接触面と高さ方向に揃えられた分割面が、新たな第２位置決部として機能する。これにより、第１床材と第２床材とで段差が形成される床部を施工する場合だけでなく、第１床材の第１端面と第２床材の第２端面とが高さ方向に揃う床部を施工する場合にも床部施工治具を使用することができる。
【００１７】
第６態様に係る床部施工方法は、第１態様から第５態様のいずれか１つに記載の床部施工治具を用いた床部施工方法であって、前記基部と前記梁材とを接触させる第１工程と、前記第１端面と前記第１位置決部とを接触させる第２工程と、前記第２端面と前記第２位置決部とを接触させる第３工程と、を有する。
【００１８】
第６態様に係る床部施工方法では、基部と梁材とが接触することで床部施工治具の基準位置が決まる（第１工程）。この状態において、第１床材の第１端面を第１位置決部に接触させ（第２工程）、第２床材の第２端面を第２位置決部に接触させること（第３工程）で、第１床材及び第２床材が位置決めされ、段差が形成される。このように、治具を交換せずに、第１床材及び第２床材の位置決めが行われるので、第１床材及び第２床材を有する建物の床部の施工において、第１床材と第２床材とで段差を形成する場合の施工性を向上させることができる。
【発明の効果】
【００１９】
以上説明したように、本発明に係る床部施工治具及び床部施工方法では、第１床材及び第２床材を有する建物の床部の施工において、第１床材と第２床材とで段差を形成する場合の施工性を向上させることができる。
【図面の簡単な説明】
【００２０】
【図１】第１実施形態に係る建物の床部の構成図である。
【図２】（Ａ）第１実施形態に係る床部施工治具の部分斜視図であり、（Ｂ）第１実施形態に係る床部施工治具の側面図である。
【図３】（Ａ）第１実施形態に係る床部施工治具を用いて下地材を位置決めした状態を示す説明図であり、（Ｂ）第１実施形態に係る床部施工治具を用いて下地材及び仕上材を位置決めした状態を示す説明図であり、（Ｃ）第１実施形態に係る床部施工治具を用いて下地材及び仕上材をビスで床大梁に取付けた状態を示す説明図である。
【図４】（Ａ）第２実施形態に係る床部施工治具の部分斜視図であり、（Ｂ）第２実施形態に係る床部施工治具の側面図である。
【図５】（Ａ）第２実施形態に係る床部施工治具の本体部の部分斜視図であり、（Ｂ）第２実施形態に係る床部施工治具の着脱部の部分斜視図である。
【図６】第２実施形態に係る床部施工治具の本体部に着脱部を装着する状態を示す説明図である。
【図７】（Ａ）第２実施形態に係る床部施工治具の本体部を用いて下地材及び仕上材を位置決めした状態を示す説明図であり、（Ｂ）第２実施形態に係る建物の床部にサッシを設けた状態を示す説明図である。
【図８】（Ａ）第２実施形態に係る床部施工治具を用いて下地材を位置決めした状態を示す説明図であり、（Ｂ）第２実施形態に係る床部施工治具を用いて下地材及び仕上材を位置決めした状態を示す説明図であり、（Ｃ）第２実施形態に係る床部施工治具を用いて下地材及び仕上材をビスで床大梁に取付けた状態を示す説明図である。
【図９】変形例に係る床部施工治具の部分斜視図である。
【発明を実施するための形態】
【００２１】
[第１実施形態]
第１実施形態に係る床部施工治具及び床部施工方法の一例について説明する。
【００２２】
〔建物の構成〕
図１には、建物１０の一部が示されている。建物１０は、一例として、図示しない複数の柱と、該柱に架設された桁側の床大梁１２と、根太１４と、床部１６と、サッシ２２とを含んで構成されている。なお、以後の説明では、建物１０の桁方向をＺ方向、妻方向をＸ方向、高さ方向（上下方向）をＹ方向と称する。Ｘ方向、Ｙ方向及びＺ方向は、互いに直交する。Ｘ方向は建物１０の高さ方向に対して交差する交差方向の一例である。また、床大梁１２をＺ方向から見た場合に、Ｘ方向は建物１０の内外方向に相当する。Ｙ方向の上側を建物上方側と称する。
【００２３】
床大梁１２は、梁材の一例である。また、床大梁１２は、Ｚ方向に延在されている。床大梁１２をＺ方向から見た場合に、床大梁１２は、Ｘ方向の屋内側に向けて開口する断面略Ｕ字状に形成されている。具体的には、床大梁１２は、Ｙ方向に沿って直立するウェブ１２Ａと、ウェブ１２ＡのＹ方向の下端部からＸ方向に沿って屋内側に延びる図示しない下フランジと、ウェブ１２ＡのＹ方向の上端部からＸ方向に沿って屋内側に延びる上フランジ１２Ｂとを有する。上フランジ１２Ｂには、取付部材の一例としてのビス２４が締結される締結孔１２Ｃが、Ｙ方向に貫通して形成されている。ウェブ１２ＡのＸ方向の屋外側の側面を側面１２Ｄと称する。
【００２４】
根太１４は、上フランジ１２Ｂの上面に固定され、Ｚ方向に延在されている。また、根太１４は、一例として、Ｚ方向から見た場合に、Ｘ方向を長手方向としＹ方向を短手方向とする矩形状に形成されている。さらに、根太１４は、後述する床部１６のＸ方向の屋外側の端部が上面に載置されることで、床部１６を支持している。根太１４には、ビス２４が締結される締結孔１４Ａが形成されている。根太１４のＸ方向の屋外側には、Ｙ−Ｚ面に沿った端面である側面１４Ｂが形成されている。側面１４Ｂは、Ｙ方向から見た場合に、床大梁１２のウェブ１２Ａに対してＸ方向の屋内側に配置されている。つまり、上フランジ１２Ｂの上面と側面１４Ｂとで、Ｚ方向から見た場合にＬ字状の段差部１９Ａが形成されている。
【００２５】
床部１６は、第１床材の一例としての下地材１７と、第２床材の一例としての仕上材１８とを有する。
【００２６】
下地材１７は、Ｙ方向を厚さ方向としＸ−Ｚ面に沿って広がる板材で構成されている。言い換えると、下地材１７は、Ｚ方向から見た場合にＸ方向に延在されている。下地材１７のＹ方向下側の下面１７Ａ及び上側の上面１７Ｂは、それぞれＸ−Ｚ面に沿った平面とされている。下地材１７のＸ方向における根太１４側（屋外側）の端部は、根太１４上に載置されており、根太１４及び床大梁１２に支持されている。下地材１７のＸ方向における根太１４側とは反対側の図示しない端部は、図示しない小梁上の根太上に載置されており、この根太及び小梁に支持されている。
【００２７】
また、下地材１７のＸ方向の両端部には、Ｙ方向に貫通され、ビス２４が締結される締結孔１７Ｃが形成されている。下地材１７のＸ方向の屋外側には、Ｙ−Ｚ面に沿った第１端面１７Ｄが形成されている。言い換えると、下地材１７は、第１端面１７Ｄを有している。第１端面１７Ｄは、Ｙ方向から見た場合に、根太１４の側面１４Ｂに対してＸ方向の屋内側に配置されている。つまり、根太１４の上面と第１端面１７Ｄとで、Ｚ方向から見た場合にＬ字状の段差部１９Ｂが形成されている。
【００２８】
仕上材１８は、Ｙ方向を厚さ方向としＸ−Ｚ面に沿って広がる板材で構成されている。仕上材１８のＹ方向下側の下面１８Ａ及び上側の上面１８Ｂは、それぞれＸ−Ｚ面に沿った平面とされている。仕上材１８のＸ方向における根太１４側（屋外側）の端部は、下地材１７上に載置されており、下地材１７、根太１４及び床大梁１２に支持されている。言い換えると、仕上材１８は、Ｚ方向から見た場合に下地材１７に対する建物上方側でＸ方向に延在されている。仕上材１８のＸ方向における根太１４側とは反対側（屋内側）の図示しない端部は、図示しない小梁上の根太上に載置されており、この根太及び小梁に支持されている。
【００２９】
また、仕上材１８のＸ方向の両端部には、Ｙ方向に貫通され、ビス２４が締結される締結孔１８Ｃが形成されている。仕上材１８のＸ方向の屋外側には、Ｙ−Ｚ面に沿った第２端面１８Ｄが形成されている。言い換えると、仕上材１８は、第２端面１８Ｄを有している。第２端面１８Ｄは、Ｙ方向から見た場合に、下地材１７の第１端面１７Ｄに対してＸ方向の屋内側に配置されている。つまり、下地材１７の上面１７Ｂと第２端面１８Ｄとで、Ｚ方向から見た場合にＬ字状の段差部１９Ｃ（段差の一例）が形成されている。
【００３０】
ビス２４は、根太１４を介して床大梁１２に締結されることで、下地材１７及び仕上材１８を床大梁１２に取付けている。Ｙ方向は、取付方向の一例である。
【００３１】
サッシ２２は、一例として、後述する一般的なサッシ２５（図７（Ｂ）参照）に比べて高断熱性能を有している。具体的には、サッシ２２の見込み寸法（Ｘ方向の幅Ｗ１）は、サッシ２５の見込み寸法（Ｘ方向の幅Ｗ２（図７（Ｂ）参照））に比べて大きい値となるように設定されている。また、サッシ２２は、一例として、Ｙ方向の下端部に、段差部２２Ａと段差部２２Ｂとが形成されている。段差部２２Ａは、第１端面１７Ｄ及び上面１７Ｂと接触することで位置決めされている。段差部２２Ｂは、第２端面１８Ｄ及び上面１８Ｂと接触することで位置決めされている。そして、サッシ２２の屋内側でＹ方向の下端部は、図示しないビスを用いて下地材１７及び仕上材１８に取付けられている。サッシ２２のＹ方向の上端部は、建物１０の図示しない外壁部に取付けられている。
【００３２】
〔要部構成〕
次に、床部１６の施工に用いられる床部施工治具３０について説明する。
【００３３】
図２（Ａ）に示す床部施工治具３０は、一例として、鉄製であり、Ｚ方向に長尺の部材とされている。床部施工治具３０のＺ方向の長さは、床部１６（図１参照）のＺ方向の長さとほぼ同じ長さに設定されている。
【００３４】
図２（Ｂ）に示すように、床部施工治具３０は、具体的には、基部３２と、根太接触部３４と、第１位置決部３６と、第２位置決部３８と、延在部４２とを有する。なお、基部３２、根太接触部３４、第１位置決部３６、第２位置決部３８及び延在部４２は、一体化されている。このため、図２（Ｂ）において示す一点鎖線は、分割線ではなく、説明上、各部を区分して示すための仮想線である。
【００３５】
＜基部＞
基部３２は、Ｙ方向に延在されている。具体的には、基部３２は、Ｚ方向から見た場合の断面形状が、Ｘ方向を短手方向としＹ方向を長手方向とする矩形状とされている。また、基部３２は、Ｘ−Ｚ面に沿った底面３２Ａと、底面３２ＡのＸ方向屋内側の端部からＹ方向に直立する側面３２Ｂと、底面３２ＡのＸ方向屋外側の端部からＹ方向に直立する側面３２Ｃと、底面３２ＡとＹ方向に対向する上面３２Ｄとを含んで構成されている。
【００３６】
側面３２Ｂは、Ｙ−Ｚ面に沿った平面とされている。また、側面３２Ｂは、床大梁１２のウェブ１２Ａ（図１参照）に対して、Ｘ方向の屋外側から接触される。つまり、側面３２Ｂは、床部施工治具３０の基準面とされている。側面３２ＢのＹ方向の高さは、ウェブ１２ＡのＹ方向の高さよりも低い。側面３２Ｃは、Ｙ−Ｚ面に沿った平面とされている。側面３２ＣのＹ方向の高さは、側面３２ＢのＹ方向の高さよりも高い。上面３２Ｄは、側面３２ＣのＹ方向の上端からＸ方向に延びている。また、上面３２Ｄは、Ｘ−Ｚ面に沿っている。
【００３７】
＜根太接触部＞
根太接触部３４は、基部３２における側面３２Ｂに対する建物上方側の部位（仮想線で示す部位）から、Ｘ方向の屋内側に張出された部位として構成されている。言い換えると、根太接触部３４は、側面３２ＢよりもＸ方向の屋内側に突出されている。具体的には、根太接触部３４は、Ｚ方向から見た場合の断面形状が、Ｘ方向を短手方向としＹ方向を長手方向とする矩形状とされている。また、根太接触部３４は、側面３２ＢのＹ方向上端からＸ方向屋内側に延びる下面３４Ａと、下面３４ＡのＸ方向屋内側の端部からＹ方向に直立する側面３４Ｂとを含んで構成されている。
【００３８】
下面３４Ａは、Ｘ−Ｚ面に沿っている。また、下面３４Ａは、床大梁１２の上フランジ１２Ｂ（図１参照）に対して、建物上方側から接触される。下面３４ＡのＸ方向の長さは、ウェブ１２Ａの側面１２Ｄ（図１参照）から根太１４の側面１４Ｂ（図１参照）までの予め設定された長さとされている。側面３４Ｂは、Ｙ−Ｚ面に沿った平面とされている。また、側面３４Ｂは、側面１４Ｂに対して、Ｘ方向の屋外側から接触される。側面３４ＢのＹ方向の高さは、根太１４の予め設定されたＹ方向の高さとされている。
【００３９】
＜第１位置決部＞
第１位置決部３６は、基部３２における根太接触部３４に対する建物上方側の部位（仮想線で示す部位）から、Ｘ方向の屋内側に張出された部位として構成されている。言い換えると、第１位置決部３６は、床大梁１２（図１参照）に対する建物上方側で、基部３２及び側面３４ＢよりもＸ方向の屋内側に突出されている。具体的には、第１位置決部３６は、Ｚ方向から見た場合の断面形状が、Ｘ方向を長手方向としＹ方向を短手方向とする矩形状とされている。また、第１位置決部３６は、側面３４ＢのＹ方向上端からＸ方向屋内側に延びる下面３６Ａと、下面３６ＡのＸ方向屋内側の端部からＹ方向に直立する側面３６Ｂとを含んで構成されている。
【００４０】
下面３６Ａは、Ｘ−Ｚ面に沿っている。また、下面３６Ａは、根太１４（図１参照）の上面に対して、建物上方側から接触される。下面３６ＡのＸ方向の長さは、根太１４の側面１４Ｂ（図１参照）から下地材１７の第１端面１７Ｄ（図１参照）までに相当する予め設定された長さとされている。側面３６Ｂは、Ｙ−Ｚ面に沿った平面とされている。また、側面３６Ｂには、Ｘ方向の屋内側から第１端面１７Ｄが接触される。つまり、第１位置決部３６は、基部３２の側面３２Ｂがウェブ１２Ａ（図１参照）と接触した状態において、床大梁１２（図１参照）に対して第１端面１７Ｄを位置決めするように構成されている。側面３６ＢのＹ方向の高さは、下地材１７のＹ方向の高さとほぼ同じ高さに設定されている。
【００４１】
＜第２位置決部＞
第２位置決部３８は、基部３２における第１位置決部３６に対する建物上方側の部位（仮想線で示す部位）から、第１位置決部３６よりもＸ方向の屋内側に張出されている。言い換えると、第２位置決部３８は、床大梁１２（図１参照）に対する建物上方側で、基部３２、側面３４Ｂ及び側面３６ＢよりもＸ方向の屋内側に突出されている。具体的には、第２位置決部３８は、Ｚ方向から見た場合の断面形状が、Ｘ方向を長手方向としＹ方向を短手方向とする矩形状とされている。また、第２位置決部３８は、側面３６ＢのＹ方向上端からＸ方向屋内側に延びる下面３８Ａと、下面３８ＡのＸ方向屋内側の端部からＹ方向に直立する側面３８Ｂとを含んで構成されている。
【００４２】
下面３８Ａは、Ｘ−Ｚ面に沿っている。また、下面３８Ａは、下地材１７の上面１７Ｂ（図１参照）に対して、建物上方側から接触される。下面３８ＡのＸ方向の長さは、下地材１７の第１端面１７Ｄ（図１参照）から仕上材１８の第２端面１８Ｄ（図１参照）までに相当する予め設定された長さとされている。側面３８Ｂは、Ｙ−Ｚ面に沿った平面とされている。また、側面３８Ｂには、Ｘ方向の屋内側から第２端面１８Ｄが接触される。つまり、第２位置決部３８は、基部３２の側面３２Ｂがウェブ１２Ａ（図１参照）と接触した状態において、床大梁１２（図１参照）に対して第２端面１８Ｄを位置決めするように構成されている。側面３８ＢのＹ方向の高さは、仕上材１８のＹ方向の高さとほぼ同じ高さに設定されている。
【００４３】
＜延在部＞
延在部４２は、基部３２における第２位置決部３８に対する建物上方側の部位から、第２位置決部３８よりもＸ方向の屋内側に延在されている。言い換えると、延在部４２は、床大梁１２（図１参照）に対する建物上方側で、基部３２、側面３４Ｂ、側面３６Ｂ及び側面３８ＢよりもＸ方向の屋内側に延在されている。具体的には、延在部４２は、Ｚ方向から見た場合の断面形状が、Ｘ方向を長手方向としＹ方向を短手方向とする矩形状とされている。また、延在部４２は、側面３８ＢのＹ方向上端からＸ方向屋内側に延びる下面４２Ａと、下面４２ＡのＸ方向屋内側の端部からＹ方向に直立する側面４２Ｂとを含んで構成されている。
【００４４】
下面４２Ａは、Ｘ−Ｚ面に沿っている。また、下面４２Ａは、仕上材１８の上面１８Ｂ（図１参照）に対して、建物上方側から接触される。下面４２ＡのＸ方向の長さは、一例として、側面３２Ｂから側面３８ＢまでのＸ方向の長さよりも僅かに短い長さとされている。側面４２Ｂは、Ｙ−Ｚ面に沿った平面とされている。側面４２ＢのＹ方向の高さは、一例として、仕上材１８のＹ方向の高さとほぼ同じ高さに設定されている。
【００４５】
また、延在部４２には、ビス２４（図１参照）がＹ方向に案内される案内部４４が形成されている。図２（Ａ）に示すように、案内部４４は、一例として、延在部４２をＹ方向に貫通する貫通孔の孔壁で構成されている。具体的には、案内部４４は、延在部４２の一部をＹ方向を軸方向とする円柱状に取除くことで形成されており、Ｙ方向から見た場合に円形の孔壁で構成されている。案内部４４の直径は、ビス２４（図１参照）の軸部及び頭部が通過可能な大きさに設定されている。
【００４６】
〔作用〕
次に、第１実施形態の作用について説明する。
【００４７】
図３（Ａ）に示す床大梁１２の上フランジ１２Ｂには、予め、根太１４が接着により固定されている。ここで、床部施工治具３０の側面３２Ｂが、床大梁１２の側面１２Ｄに対して、Ｘ方向の屋外側から接触される。つまり、基部３２と床大梁１２とが接触される（第１工程の一例）。このとき、根太接触部３４の下面３４Ａは、上フランジ１２ＢとＹ方向に接触される。側面３４Ｂは、根太１４の側面１４ＢとＸ方向に接触される。このようにして、床部施工治具３０が位置決めを行うための基準位置が決まる。
【００４８】
続いて、下地材１７のＸ方向の端部が根太１４上に載せられ、下地材１７がＸ方向の屋外側に向けて移動（スライド）される。そして、第１端面１７Ｄと、第１位置決部３６の側面３６ＢとがＸ方向に接触される（第２工程の一例）。これにより、下地材１７のＸ方向の位置が決まる。
【００４９】
続いて、図３（Ｂ）に示すように、仕上材１８のＸ方向の端部が下地材１７上に載せられ、仕上材１８がＸ方向の屋外側に向けて移動（スライド）される。そして、第２端面１８Ｄと、第２位置決部３８の側面３８ＢとがＸ方向に接触される（第３工程の一例）。これにより、仕上材１８のＸ方向の位置が決まり、下地材１７と仕上材１８とで段差部１９Ｃが形成される。このとき、仕上材１８のＸ方向端部は、延在部４２によって建物上方側から押えられているため、建物上方側に浮き難い。この状態において、締結孔１２Ｃ、締結孔１４Ａ、締結孔１７Ｃ及び締結孔１８Ｃは、Ｙ方向に連通されている。また、締結孔１８Ｃの建物上方側には、案内部４４が配置される。
【００５０】
続いて、図３（Ｃ）に示すように、案内部４４に案内されたビス２４が、図示しないドライバーにより、締結孔１８Ｃ、締結孔１７Ｃ、締結孔１４Ａ及び締結孔１２Ｃに締結される。これにより、下地材１７及び仕上材１８が床大梁１２に取付けられ、床部１６が出来上がる。
【００５１】
続いて、図１に示すように、床部１６に対してＸ方向の屋外側からサッシ２２が取付けられる。具体的には、サッシ２２の段差部２２Ａが、第１端面１７Ｄと接触することでＸ方向に位置決めされる。また、段差部２２Ｂが、第２端面１８Ｄと接触することでＸ方向に位置決めされる。さらに、サッシ２２は、上面１７Ｂ及び上面１８Ｂと、図示しない外壁部とに接触することで、Ｙ方向及びＺ方向に位置決めされる。そして、サッシ２２のＹ方向の下端部は、図示しないビスを用いて下地材１７及び仕上材１８に取付けられる。なお、サッシ２２を下地材１７及び仕上材１８にビスで取付ける位置は、ビス２４に対してＺ方向にずれている。
【００５２】
以上、説明したように、図３（Ｃ）に示す１つの床部施工治具３０を用いることで、治具を交換せずに、下地材１７及び仕上材１８の位置決めが行われる。これにより、下地材１７及び仕上材１８を有する建物１０の床部１６の施工において、複数の治具を交換する構成に比べて、下地材１７と仕上材１８とで段差部１９Ｃを形成する場合の施工性を向上させることができる。
【００５３】
また、床部施工治具３０では、仕上材１８が下地材１７に対して傾くなどして、仕上材１８の第２端面１８Ｄ付近の部位が建物上方側に変位する場合に、この変位する部位が延在部４２と接触することで、この部位の変位が規制される。これにより、延在部４２が設けられていない構成に比べて、仕上材１８を位置決めするときに仕上材１８が建物上方側に変位することを抑制することができる。
【００５４】
さらに、床部施工治具３０では、下地材１７及び仕上材１８がＸ方向に位置決めされた状態で、ビス２４を用いて下地材１７及び仕上材１８を床大梁１２に取付ける場合に、ビス２４が、延在部４２の案内部４４によってＹ方向に案内される。つまり、延在部４２によって下地材１７及び仕上材１８の建物上方側への変位を押えながら（下地材１７及び仕上材１８のＸ方向の位置決め状態を保持しながら）、下地材１７及び仕上材１８を床大梁１２に取付けられる。これにより、下地材１７及び仕上材１８がビス２４を用いて床大梁１２に取付けられるときに、延在部４２及び案内部４４が無い場合に比べて、ビス２４の取付け位置（締結位置）が、設計上の位置からＸ方向にずれることを抑制することができる。
【００５５】
また、床部施工治具３０を用いた床部施工方法では、既述の第１工程、第２工程及び第３工程の一例を行うことで、下地材１７及び仕上材１８の位置決めが行われる。これにより、下地材１７及び仕上材１８を有する建物１０の床部１６の施工において、複数の治具を交換する施工方法に比べて、下地材１７と仕上材１８とで段差部１９Ｃを形成する場合の施工性を向上させることができる。
【００５６】
[第２実施形態]
次に、第２実施形態に係る床部施工治具及び床部施工方法の一例について説明する。なお、前述した第１実施形態と基本的に同一の部材、部位には、前記第１実施形態と同一の符号を付与してその説明を省略する。
【００５７】
図４（Ａ）には、第２実施形態に係る床部施工治具５０が示されている。床部施工治具５０は、一例として、鉄製であり、Ｚ方向に長尺の部材とされている。床部施工治具５０のＺ方向の長さは、床部１６（図１参照）のＺ方向の長さとほぼ同じ長さに設定されている。また、床部施工治具５０は、第１実施形態の床部施工治具３０（図２（Ｂ）参照）において、第２位置決部３８、延在部４２及び案内部４４が、基部３２に対して着脱可能とされた構成とされている。
【００５８】
図４（Ｂ）に示すように、床部施工治具５０は、具体的には、基部３２と、根太接触部３４と、第１位置決部３６と、第２位置決部３８と、延在部４２とを有する。なお、図４（Ｂ）に示す一点鎖線は、分割線ではなく、説明上、各部を区分して示すための仮想線である。
【００５９】
第２位置決部３８は、Ｙ−Ｚ面に沿った分割面５２を境にして、基部３２側の外側位置決部５５と、基部３２側とは反対側の内側位置決部５６とに分割されている。また、延在部４２は、分割面５２を境にして、基部３２側の外側延在部５７と、基部３２側とは反対側で案内部４４が形成された内側延在部５８とに分割されている。言い換えると、分割面５２は、Ｚ方向から見た場合に、Ｙ方向に沿っており、第２位置決部３８及び延在部４２をＸ方向に分割している。
【００６０】
基部３２、根太接触部３４、第１位置決部３６、外側位置決部５５及び外側延在部５７は一体化されており、これらをまとめて本体部５３と称する。一方、内側位置決部５６及び内側延在部５８は一体化されており、これらをまとめて着脱部５４と称する。なお、分割面５２については、本体部５３側の分割面５２を分割面５２Ａとし、着脱部５４側の分割面５２を分割面５２Ｂとして区別する。仕上材１８の位置決めの機能を有するのは、分割面５２Ａである。
【００６１】
＜本体部＞
図５（Ａ）に示すように、本体部５３では、一例として、分割面５２Ａと、第１位置決部３６の側面３６Ｂとが、Ｙ方向に揃えられている。言い換えると、分割面５２Ａと側面３６Ｂとが同一平面上に配置されている。なお、第２実施形態では、側面３６Ｂが、第１端面１７Ｄ（図１参照）と接触する接触面の一例である。
【００６２】
分割面５２Ａは、Ｚ方向を長手方向としＹ方向を短手方向とする矩形状に形成されている。分割面５２Ａと側面３６Ｂとの間には、これらを区分する溝あるいは凹凸部は形成されていない。また、本体部５３には、Ｚ方向に間隔をあけて複数箇所（図示は２箇所）に溝部６２が形成されている。
【００６３】
溝部６２は、分割面５２ＡからＸ方向の屋外側へ向けて窪むと共にＹ方向に長い溝として形成されている。また、溝部６２は、Ｙ方向から見た場合に、Ｘ方向の屋内側に向けて開口する断面略Ｕ字状に形成されている。溝部６２のＹ方向の上端は、本体部５３のＹ方向の上面まで延びており、建物上方側に開口されている。これにより、溝部６２に対して、後述する嵌合部６４（図５（Ｂ）参照）をＸ方向の屋内側及び建物上方側から挿入及び嵌合可能となっている。
【００６４】
溝部６２のＹ方向の長さは、分割面５２ＡのＹ方向の長さよりも短い。また、溝部６２のＸ方向の深さは、第１位置決部３６の下面３６ＡのＸ方向の長さと同程度とされている。
【００６５】
＜着脱部＞
図５（Ｂ）に示すように、着脱部５４は、内側位置決部５６と内側延在部５８とが一体化され、Ｚ方向から見た場合の断面形状が略Ｌ字状の立体として形成されている。また、着脱部５４は、Ｘ方向の屋外側に形成された分割面５２Ｂを有する。分割面５２Ｂは、本体部５３（図５（Ａ）参照）に着脱部５４を装着した状態において、分割面５２Ａ（図５（Ａ）参照）とＸ方向に接触する。
【００６６】
着脱部５４には、Ｚ方向に間隔をあけて複数箇所（図示は２箇所）に嵌合部６４が形成されている。嵌合部６４は、分割面５２ＢからＸ方向の屋外側へ向けて突出すると共にＹ方向に長い直方体状に形成されている。また、嵌合部６４は、溝部６２（図５（Ａ）参照）と嵌合するように形成されている。
【００６７】
図６に示すように、溝部６２に対して、建物上方側から嵌合部６４が挿入されると共に嵌合されることで、本体部５３に着脱部５４が装着される。なお、本体部５３に着脱部５４が装着された状態では、外側延在部５７の上面と内側延在部５８の上面とが同じ高さに揃うようになっている。このように、床部施工治具５０は、本体部５３に着脱部５４が装着された状態では、第１位置決部３６及び第２位置決部３８による位置決めが可能となっている。さらに、床部施工治具５０は、本体部５３から着脱部５４が離脱された状態では、第１位置決部３６及び内側位置決部５６による位置決めが可能となっている。
【００６８】
図７（Ｂ）には、建物１０において、既述の高断熱性能のサッシ２２（図１参照）に換えて、一般的な断熱性能のサッシ２５が設けられた状態が示されている。サッシ２５のＸ方向の見込み寸法は、既述の通り、Ｗ２（＜Ｗ１（図１参照））とされている。また、サッシ２５のＹ方向の下端部には、段差部２５Ａが形成されている。段差部２５Ａは、第１端面１７Ｄ、第２端面１８Ｄ及び上面１８Ｂと接触することで、Ｘ方向及びＹ方向に位置決めされている。そして、サッシ２５のＹ方向の下端部は、図示しないビスを用いて下地材１７及び仕上材１８に取付けられている。サッシ２５のＹ方向の上端部は、建物１０の図示しない外壁部に取付けられている。
【００６９】
言い換えると、サッシ２５を取付ける場合には、第１端面１７Ｄと第２端面１８ＤとがＹ方向に揃うように位置決めしておく必要がある。サッシ２５は、床部６６に取付けられている。床部６６は、第１実施形態の床部１６（図１参照）において、仕上材１８に形成された締結孔１８Ｃの位置がＸ方向の屋内側にずれて設定されることで、第１端面１７Ｄと第２端面１８ＤとがＹ方向に揃えられている。
【００７０】
〔作用〕
次に、第２実施形態の作用について説明する。
【００７１】
＜一般的なサッシの取付＞
図７（Ａ）に示すように、床部施工治具５０（本体部５３）の側面３２Ｂが、床大梁１２の側面１２Ｄに対して、Ｘ方向の屋外側から接触される。これにより、床部施工治具５０が位置決めを行うための基準位置が決まる。
【００７２】
続いて、下地材１７のＸ方向の端部が根太１４上に載せられ、第１端面１７Ｄと、第１位置決部３６の側面３６ＢとがＸ方向に接触される。これにより、下地材１７のＸ方向の位置が決まる。さらに、仕上材１８のＸ方向の端部が下地材１７上に載せられ、第２端面１８Ｄと、分割面５２ＡとがＸ方向に接触される。これにより、仕上材１８のＸ方向の位置が決まる。この状態において、ビス２４が、図示しないドライバーにより、締結孔１８Ｃ、締結孔１７Ｃ、締結孔１４Ａ及び締結孔１２Ｃに締結される。これにより、下地材１７及び仕上材１８が床大梁１２に取付けられ、床部６６が出来上がる。
【００７３】
続いて、図７（Ｂ）に示すように、床部６６に対してＸ方向の屋外側からサッシ２５が取付けられる。具体的には、サッシ２５の段差部２５Ａが、第１端面１７Ｄ及び第２端面１８Ｄと接触することでＸ方向に位置決めされる。また、サッシ２５は、図示しない外壁部と接触することで、Ｙ方向及びＺ方向に位置決めされる。そして、サッシ２５のＹ方向の下端部は、図示しないビスを用いて下地材１７及び仕上材１８に取付けられる。なお、サッシ２５を下地材１７及び仕上材１８にビスで取付ける位置は、ビス２４に対してＺ方向にずれている。
【００７４】
＜高断熱性能のサッシの取付＞
まず、図６に示すように、溝部６２に対して、建物上方側から嵌合部６４が挿入されると共に嵌合されることで、本体部５３に着脱部５４が装着される。これにより、本体部５３と着脱部５４とが一体化される。
【００７５】
続いて、図８（Ａ）に示すように、床部施工治具５０の側面３２Ｂが、床大梁１２の側面１２Ｄに対して、Ｘ方向の屋外側から接触される。つまり、基部３２と床大梁１２とが接触される（第１工程の一例）。これにより、床部施工治具３０が位置決めを行うための基準位置が決まる。続いて、下地材１７がＸ方向の屋外側に向けて移動（スライド）され、第１端面１７Ｄと側面３６ＢとがＸ方向に接触される（第２工程の一例）。これにより、下地材１７のＸ方向の位置が決まる。
【００７６】
続いて、図８（Ｂ）に示すように、仕上材１８がＸ方向の屋外側に向けて移動（スライド）され、第２端面１８Ｄと側面３８ＢとがＸ方向に接触される（第３工程の一例）。これにより、仕上材１８のＸ方向の位置が決まり、下地材１７と仕上材１８とで段差部１９Ｃが形成される。このとき、仕上材１８のＸ方向端部は、延在部４２によって建物上方側から押えられているため、建物上方側に浮き難い。この状態において、締結孔１２Ｃ、締結孔１４Ａ、締結孔１７Ｃ及び締結孔１８Ｃは、Ｙ方向に連通されている。また、締結孔１８Ｃの建物上方側には、案内部４４が配置される。
【００７７】
続いて、図８（Ｃ）に示すように、案内部４４に案内されたビス２４が、図示しないドライバーにより、締結孔１８Ｃ、締結孔１７Ｃ、締結孔１４Ａ及び締結孔１２Ｃに締結される。これにより、下地材１７及び仕上材１８が床大梁１２に取付けられ、床部１６が出来上がる。続いて、図１に示すように、第１実施形態と同様の手順により、床部１６に対してＸ方向の屋外側からサッシ２２が取付けられる。
【００７８】
以上、説明したように、床部施工治具５０において、第２位置決部３８が基部３２に装着された状態（基部３２に対して離脱されていない状態）では、下地材１７と仕上材１８とが第１の配置関係となるように位置決めが行われる。一方、第２位置決部３７が基部３２に対して離脱された状態では、下地材１７と仕上材１８とが、第１の配置関係とは異なる第２の配置関係となるように位置決めが行われる。このように、下地材１７と仕上材１８との配置関係が異なる場合に、１つの床部施工治具５０を使い分けて下地材１７と仕上材１８とを位置決めすることができる。本実施形態において、第１の配置関係とは、一例として、第１端面１７Ｄと第２端面１８ＤとがＸ方向にずれた配置関係を意味する。また、第２の配置関係とは、一例として、第１端面１７Ｄと第２端面１８ＤとがＹ方向に揃う配置関係を意味する。
【００７９】
また、床部施工治具５０では、第１位置決部３６の側面３６ＢとＹ方向に揃えられた分割面５２Ａが、新たな第２位置決部として機能する。これにより、下地材１７と仕上材１８とでＸ方向の段差が形成される床部１６を施工する場合だけでなく、第１端面１７Ｄと第２端面１８ＤとがＹ方向に揃う床部６６を施工する場合にも床部施工治具５０を使用することができる。床部施工治具５０における延在部４２及び案内部４４の作用については、床部施工治具３０と同様であるため、説明を省略する。
【００８０】
なお、本発明は上記の実施形態に限定されない。
【００８１】
図９には、床部施工治具５０（図４（Ａ）参照）の変形例として、床部施工治具７０が示されている。床部施工治具７０は、床部施工治具５０において、本体部５３がＹ方向に延ばされ、溝部６２の建物上方側が閉じられ、嵌合部６４（図５（Ｂ）参照）がＹ方向にスライド可能に溝部６２と嵌合された構成とされている。つまり、着脱部５４が本体部５３から離れない構成とされている。
【００８２】
床部施工治具７０では、床部１６（図１参照）を施工する場合には、着脱部５４がＹ方向の下端までスライドされ、下地材１７及び仕上材１８（図１参照）の位置決めが行われる。一方、床部６６（図７（Ｂ）参照）を施工する場合には、着脱部５４がＹ方向の上端までスライドされ、図示しないストッパ（例えば、本体部５３と着脱部５４とを繋ぐＵ字状の部材）で保持される。これにより、着脱部５４が位置決部として機能しない状態で、下地材１７及び仕上材１８の位置決めが行われる。このように、着脱部５４が可動部として本体部５３に保持されることで、着脱部５４の紛失を防ぐことができる。
【００８３】
床部施工治具３０において、案内部４４が形成されていない延在部４２を用いてもよい。例えば、延在部４２のうち、ビス２４による締結が行われる部位が切欠かれていてもよい。また、床部施工治具３０において、延在部４２が無くてもよい。さらに、床部施工治具３０において、根太接触部３４に相当する部位を、根太１４と接触しない非接触部として、基部３２と床大梁１２との接触のみで基準の位置決めを行ってもよい。
【００８４】
床部施工治具５０、７０において、案内部４４が形成されていない延在部４２を用いてもよい。例えば、延在部４２のうち、ビス２４による締結が行われる部位が切欠かれていてもよい。また、床部施工治具５０、７０において、延在部４２が無くてもよい。さらに、床部施工治具５０、７０において、根太接触部３４に相当する部位を、根太１４と接触しない非接触部として、基部３２と床大梁１２との接触のみで基準の位置決めを行ってもよい。加えて、床部施工治具５０、７０において、分割面５２Ａと側面３６ＢとがＹ方向に揃っていなくても（Ｘ方向にずれていても）よい。
【００８５】
床部施工治具３０、５０、７０は、鉄製のものに限らず、他の金属又は硬質の樹脂で構成されていてもよい。
【符号の説明】
【００８６】
１０  建物
１２  床大梁（梁材の一例）
１６  床部
１７  下地材（第１床材の一例）
１７Ｄ  第１端面
１８  仕上材（第２床材の一例）
１８Ｄ  第２端面
２４  ビス（取付部材の一例）
３０  床部施工治具
３２  基部
３６  第１位置決部
３６Ｂ  側面（接触面の一例）
３８  第２位置決部
４２  延在部
４４  案内部
５０  床部施工治具
５２Ａ  分割面
７０  床部施工治具
【図１】
2019031835.tif 000003
【図２】
2019031835.tif 000004
【図３】
2019031835.tif 000005
【図４】
2019031835.tif 000006
【図５】
2019031835.tif 000007
【図６】
2019031835.tif 000008
【図７】
2019031835.tif 000009
【図８】
2019031835.tif 000010
【図９】
2019031835.tif 000011